(57)【要約】  乗場に配置された乗場検出装置１００がエレベータ利用者３００のＩＤを個体識別タグ４００から読み取り認証装置６００に送信し、認証装置６００では認証処理の後、当該ＩＤが登録されていなければ、ＩＤを登録し、エレベータかご５００の呼び登録を行い、エレベータかご５００内のかご検出装置２００が個体識別タグ４００からＩＤを読み取り、認証装置６００に送信し、認証装置６００では、登録された登録ＩＤと同じＩＤがかご検出装置２００から送信されなくなった際に、一定時間の経過後に当該登録ＩＤの登録を消去することで、エレベータ利用者３００がエレベータかご５００から降車した際に、降車先の乗場の乗場検出装置１００でＩＤが読み取られても登録が維持されているので、呼び登録が行われない。
2009107206.tif 000002
【特許請求の範囲】
【請求項１】
エレベータ乗場において、所定の読み取り周期で、エレベータ利用者が携帯している記憶媒体から無線通信によりエレベータ利用者の識別情報の読み取りを行う乗場検出装置と、
エレベータかご内において、所定の読み取り周期で、エレベータ利用者が携帯している記憶媒体から無線通信によりエレベータ利用者の識別情報の読み取りを行うかご検出装置と、
前記乗場検出装置により読み取られた識別情報の登録がない場合に、前記乗場検出装置により読み取られた識別情報を登録するとともに前記エレベータ乗場へのエレベータかごの呼び登録を行い、登録している登録識別情報と同じ識別情報が前記かご検出装置により読み取られなかったことを検知した場合に、登録識別情報と同じ識別情報が前記かご検出装置により読み取られなかったことを検知してから所定の猶予時間が経過した後に当該登録識別情報の登録を消去する呼び登録処理装置とを有することを特徴とするエレベータの呼び登録システム。
【請求項２】
前記呼び登録処理装置は、
エレベータ利用者が前記エレベータかごから降車したために登録識別情報と同じ識別情報が前記かご検出装置により読み取られなくなり、前記乗場検出装置が前記エレベータかごから降車したエレベータ利用者の記憶媒体から当該エレベータ利用者の識別情報の読み取りを行った場合に、
登録識別情報と同じ識別情報が前記かご検出装置により読み取られなかったことを検知してから猶予時間の間は当該登録識別情報の登録を維持することで、前記乗場検出装置による降車後のエレベータ利用者の識別情報の読み取りに対してエレベータかごの呼び登録を行わないことを特徴とする請求項１に記載のエレベータの呼び登録システム。
【請求項３】
前記呼び登録処理装置は、
前記猶予時間を５秒以上１０秒以下の間のいずれかとすることを特徴とする請求項１又は２に記載のエレベータの呼び登録システム。
【請求項４】
前記呼び登録処理装置は、
前記かご検出装置の読み取り周期ごとに、前記かご検出装置により読み取られた識別情報を識別情報記録リストに記録し、識別情報記録リストに記録している識別情報と登録識別情報とを比較し、比較の後に、識別情報の記録を識別情報記録リストから消去し、
識別情報記録リストの記録内容と登録識別情報とを比較した結果、登録識別情報と同じ識別情報が識別情報記録リストに存在していることを検出した場合に、登録識別情報の登録を維持し、
登録識別情報と同じ識別情報が識別情報記録リストに存在していないことを検出した場合に、登録識別情報と同じ識別情報が識別情報記録リストに存在していないことを検出してから前記猶予時間が経過した後に当該登録識別情報の登録を消去することを特徴とする請求項１〜３のいずれかに記載のエレベータの呼び登録システム。
【請求項５】
エレベータ乗場において、所定の読み取り周期で、エレベータ利用者が携帯している記憶媒体から無線通信によりエレベータ利用者の識別情報の読み取りを行う乗場検出装置と、
前記乗場検出装置により読み取られた識別情報の登録がない場合に、前記乗場検出装置により読み取られた識別情報を登録するとともに、当該識別情報を登録してから所定の猶予時間が経過した後に前記エレベータ乗場へのエレベータかごの呼び登録を行う呼び登録処理装置とを有することを特徴とするエレベータの呼び登録システム。
【請求項６】
前記呼び登録処理装置は、
前記猶予時間を前記乗場検出装置の読み取り周期より長い時間とし、
前記猶予時間が到来する直前の読み取り周期において、登録している登録識別情報を前記乗場検出装置が再度読み取っている場合に、前記猶予時間が経過した後にエレベータかごの呼び登録を行い、
前記猶予時間が到来する直前の読み取り周期において、登録識別情報を前記乗場検出装置が読み取っていない場合に、エレベータかごの呼び登録を行わないことを特徴とする請求項５に記載のエレベータの呼び登録システム。
【請求項７】
前記呼び登録処理装置は、
前記乗場検出装置の読み取り周期ごとに、前記乗場検出装置により読み取られた識別情報を識別情報記録リストに記録し、識別情報記録リストに記録している識別情報と登録している登録識別情報とを比較し、比較の後に、識別情報の記録を識別情報記録リストから消去し、
識別情報記録リストの記録内容と登録識別情報とを比較した結果、登録識別情報と同じ識別情報が識別情報記録リストに存在していることを検出した場合に、登録識別情報の登録を維持し、
前記登録識別情報と同じ識別情報が識別情報記録リストに存在していないことを検出した場合に、登録識別情報を消去し、
前記猶予時間の到来の際に登録識別情報の登録が維持されている場合に、エレベータかごの呼び登録を行うことを特徴とする請求項５又は６に記載のエレベータの呼び登録システム。
【請求項８】
前記呼び登録処理装置は、
エレベータの利用が許可された許可利用者の識別情報を記憶しており、
前記乗場検出装置により読み取られた識別情報が許可利用者の識別情報と一致する場合に、エレベータかごの呼び登録を行うことを特徴とする請求項１〜７のいずれかに記載のエレベータの呼び登録システム。
【請求項９】
エレベータ乗場において、所定の読み取り周期で、エレベータ利用者が携帯している記憶媒体から無線通信によりエレベータ利用者の識別情報の読み取りを行う乗場検出装置と、
エレベータかご内において、所定の読み取り周期で、エレベータ利用者が携帯している記憶媒体から無線通信によりエレベータ利用者の識別情報の読み取りを行うかご検出装置とに接続され、
前記乗場検出装置及び前記かご検出装置から、読み取られた識別情報を受信する受信部と、
前記乗場検出装置により読み取られた識別情報を登録する識別情報登録部と、
前記乗場検出装置により読み取られた識別情報が前記識別情報登録部に登録されているか否かを判断し、前記乗場検出装置により読み取られた識別情報が登録されていない場合に、前記乗場検出装置により読み取られた識別情報の前記識別情報登録部への登録処理を行うとともに前記エレベータ乗場へのエレベータかごの呼び登録を行う呼び登録処理部と、
前記識別情報登録部に登録されている登録識別情報と同じ識別情報が前記かご検出装置により読み取られなかったことを検知し、登録識別情報と同じ識別情報が前記かご検出装置により読み取られなかったことを検知してから所定の猶予時間が経過した後に当該登録識別情報の登録を消去する登録消去処理部とを有することを特徴とするエレベータの呼び登録処理装置。
【請求項１０】
前記呼び登録処理部は、
エレベータ利用者が前記エレベータかごから降車したために登録識別情報と同じ識別情報が前記かご検出装置により読み取られなくなり、前記乗場検出装置が前記エレベータかごから降車したエレベータ利用者の記憶媒体から当該エレベータ利用者の識別情報の読み取りを行った場合に、
登録識別情報と同じ識別情報が前記かご検出装置により読み取られなかったことを検知してから猶予時間の間は前記登録消去処理部が当該登録識別情報の登録を維持することで、前記乗場検出装置による降車後のエレベータ利用者の識別情報の読み取りに対してエレベータかごの呼び登録を行わないことを特徴とする請求項９に記載のエレベータの呼び登録処理装置。
【請求項１１】
前記登録消去処理部は、
前記猶予時間を５秒以上１０秒以下の間のいずれかとすることを特徴とする請求項９又は１０に記載のエレベータの呼び登録処理装置。
【請求項１２】
前記エレベータの呼び登録処理装置は、更に、
前記かご検出装置の読み取り周期ごとに、前記かご検出装置により読み取られた識別情報を識別情報記録リストに記録し、識別情報記録リストに記録している識別情報と登録識別情報とが比較された後に、識別情報の記録を識別情報記録リストから消去する識別情報記録リスト管理部を有し、
前記登録消去処理部は、
識別情報記録リストの記録内容と登録識別情報とを比較し、比較の結果、登録識別情報と同じ識別情報が識別情報記録リストに存在していることを検出した場合に、登録識別情報の登録を維持し、
登録識別情報と同じ識別情報が識別情報記録リストに存在していないことを検出した場合に、登録識別情報と同じ識別情報が識別情報記録リストに存在していないことを検出してから前記猶予時間が経過した後に当該登録識別情報の登録を消去することを特徴とする請求項９〜１１のいずれかに記載のエレベータの呼び登録処理装置。
【請求項１３】
前記登録消去処理部は、
前記猶予時間が到来する際に前記エレベータかごのドアが開いている状態である場合は、登録識別情報の登録を維持し、前記エレベータかごのドアを閉じる動作が開始してから前記猶予時間が経過した後に、登録識別情報の登録を消去することを特徴とする請求項９〜１２のいずれかに記載のエレベータの呼び登録処理装置。
【請求項１４】
エレベータ乗場において、所定の読み取り周期で、エレベータ利用者が携帯している記憶媒体から無線通信によりエレベータ利用者の識別情報の読み取りを行う乗場検出装置に接続され、
前記乗場検出装置から、読み取られた識別情報を受信する受信部と、
前記乗場検出装置により読み取られた識別情報を登録する識別情報登録部と、
前記乗場検出装置により読み取られた識別情報が前記識別情報登録部に登録されているか否かを判断し、前記乗場検出装置により読み取られた識別情報が登録されていない場合に、前記乗場検出装置により読み取られた識別情報の前記識別情報登録部への登録処理を行うとともに、当該識別情報の登録処理の後所定の猶予時間が経過した後に前記エレベータ乗場へのエレベータかごの呼び登録を行う呼び登録処理部とを有することを特徴とするエレベータの呼び登録処理装置。
【請求項１５】
前記呼び登録処理部は、
前記猶予時間を前記乗場検出装置の読み取り周期より長い時間とし、
前記猶予時間が到来する直前の読み取り周期において、前記乗場検出装置が、前記識別情報登録部に登録されている登録識別情報を再度読み取っている場合に、前記猶予時間が経過した後にエレベータかごの呼び登録を行い、
前記猶予時間が到来する直前の読み取り周期において、前記乗場検出装置が、登録識別情報を読み取っていない場合に、エレベータかごの呼び登録を行わないことを特徴とする請求項１４に記載のエレベータの呼び登録処理装置。
【請求項１６】
前記エレベータの呼び登録処理装置は、更に、
前記乗場検出装置の読み取り周期ごとに、前記乗場検出装置により読み取られた識別情報を識別情報記録リストに記録し、識別情報記録リストに記録している識別情報と登録識別情報とが比較された後に、識別情報の記録を識別情報記録リストから消去する識別情報記録リスト管理部を有し、
前記呼び登録処理部は、
識別情報記録リストの記録内容と登録識別情報とを比較し、比較の結果、登録識別情報と同じ識別情報が識別情報記録リストに存在していることを検出した場合に、登録識別情報の登録を維持し、
登録識別情報と同じ識別情報が識別情報記録リストに存在していないことを検出した場合に、登録識別情報を消去し、
前記猶予時間の到来の際に登録識別情報の登録が維持されている場合に、エレベータかごの呼び登録を行うことを特徴とする請求項１４又は１５に記載のエレベータの呼び登録処理装置。
【請求項１７】
前記エレベータの呼び登録処理装置は、更に、
エレベータの利用が許可された許可利用者の識別情報を記憶する許可利用者識別情報記憶部を有し、
前記呼び登録処理部は、
前記乗場検出装置により読み取られた識別情報が許可利用者の識別情報と一致する場合に、エレベータかごの呼び登録を行うことを特徴とする請求項９〜１６のいずれかに記載のエレベータの呼び登録処理装置。
【発明の詳細な説明】
【技術分野】
【０００１】
本発明は、エレベータの呼び登録システムに関する。
【背景技術】
【０００２】
従来の呼び登録装置は、釦操作やカードやタグをかざす操作を必要としていた。
この点、特開２０００−１９１２４５号公報に記載の技術では、操作レスで呼び登録をするために、エレベータ利用者が携帯する記憶媒体から個体識別情報を遠隔から検出できる装置を設置して実現するが、利用者の乗車意思を判別する必要がある。
本技術では、エレベータから離れた場所でエレベータ利用者の個体識別情報を検出するとエレベータをその階まで呼びよせ、その後、エレベータの近傍又はかごの内部において、利用者の個体識別情報を検出しなければ、エレベータを乗車階や目的階に停止させないことを特徴としている。
【特許文献１】特開２０００−１９１２４５号公報
【発明の開示】
【発明が解決しようとする課題】
【０００３】
上記の従来技術では、エレベータから離れた場所に検出装置が必要であるため、事前に呼び登録を行えるものの検出装置の必要数が多くなるという課題がある。【０００４】
この発明は、上記のような課題を解決することを主な目的の一つとしており、少ない検出装置にて誤検出のないエレベータの呼び登録システムを実現することを主な目的とする。
【課題を解決するための手段】
【０００５】
本発明に係るエレベータの呼び登録システムは、
エレベータ乗場において、所定の読み取り周期で、エレベータ利用者が携帯している記憶媒体から無線通信によりエレベータ利用者の識別情報の読み取りを行う乗場検出装置と、
エレベータかご内において、所定の読み取り周期で、エレベータ利用者が携帯している記憶媒体から無線通信によりエレベータ利用者の識別情報の読み取りを行うかご検出装置と、
前記乗場検出装置により読み取られた識別情報の登録がない場合に、前記乗場検出装置により読み取られた識別情報を登録するとともに前記エレベータ乗場へのエレベータかごの呼び登録を行い、登録している登録識別情報と同じ識別情報が前記かご検出装置により読み取られなかったことを検知した場合に、登録識別情報と同じ識別情報が前記かご検出装置により読み取られなかったことを検知してから所定の猶予時間が経過した後に当該登録識別情報の登録を消去する呼び登録処理装置とを有することを特徴とする。【０００６】
前記呼び登録処理装置は、
エレベータ利用者が前記エレベータかごから降車したために登録識別情報と同じ識別情報が前記かご検出装置により読み取られなくなり、前記乗場検出装置が前記エレベータかごから降車したエレベータ利用者の記憶媒体から当該エレベータ利用者の識別情報の読み取りを行った場合に、
登録識別情報と同じ識別情報が前記かご検出装置により読み取られなかったことを検知してから猶予時間の間は当該登録識別情報の登録を維持することで、前記乗場検出装置による降車後のエレベータ利用者の識別情報の読み取りに対してエレベータかごの呼び登録を行わないことを特徴とする。【０００７】
前記呼び登録処理装置は、
前記猶予時間を５秒以上１０秒以下の間のいずれかとすることを特徴とする。【０００８】
前記呼び登録処理装置は、
前記かご検出装置の読み取り周期ごとに、前記かご検出装置により読み取られた識別情報を識別情報記録リストに記録し、識別情報記録リストに記録している識別情報と登録識別情報とを比較し、比較の後に、識別情報の記録を識別情報記録リストから消去し、
識別情報記録リストの記録内容と登録識別情報とを比較した結果、登録識別情報と同じ識別情報が識別情報記録リストに存在していることを検出した場合に、登録識別情報の登録を維持し、
登録識別情報と同じ識別情報が識別情報記録リストに存在していないことを検出した場合に、登録識別情報と同じ識別情報が識別情報記録リストに存在していないことを検出してから前記猶予時間が経過した後に当該登録識別情報の登録を消去することを特徴とする。【０００９】
本発明に係るエレベータの呼び登録システムは、
エレベータ乗場において、所定の読み取り周期で、エレベータ利用者が携帯している記憶媒体から無線通信によりエレベータ利用者の識別情報の読み取りを行う乗場検出装置と、
前記乗場検出装置により読み取られた識別情報の登録がない場合に、前記乗場検出装置により読み取られた識別情報を登録するとともに、当該識別情報を登録してから所定の猶予時間が経過した後に前記エレベータ乗場へのエレベータかごの呼び登録を行う呼び登録処理装置とを有することを特徴とする。【００１０】
前記呼び登録処理装置は、
前記猶予時間を前記乗場検出装置の読み取り周期より長い時間とし、
前記猶予時間が到来する直前の読み取り周期において、登録している登録識別情報を前記乗場検出装置が再度読み取っている場合に、前記猶予時間が経過した後にエレベータかごの呼び登録を行い、
前記猶予時間が到来する直前の読み取り周期において、登録識別情報を前記乗場検出装置が読み取っていない場合に、エレベータかごの呼び登録を行わないことを特徴とする。【００１１】
前記呼び登録処理装置は、
前記乗場検出装置の読み取り周期ごとに、前記乗場検出装置により読み取られた識別情報を識別情報記録リストに記録し、識別情報記録リストに記録している識別情報と登録している登録識別情報とを比較し、比較の後に、識別情報の記録を識別情報記録リストから消去し、
識別情報記録リストの記録内容と登録識別情報とを比較した結果、登録識別情報と同じ識別情報が識別情報記録リストに存在していることを検出した場合に、登録識別情報の登録を維持し、
前記登録識別情報と同じ識別情報が識別情報記録リストに存在していないことを検出した場合に、登録識別情報を消去し、
前記猶予時間の到来の際に登録識別情報の登録が維持されている場合に、エレベータかごの呼び登録を行うことを特徴とする。【００１２】
前記呼び登録処理装置は、
エレベータの利用が許可された許可利用者の識別情報を記憶しており、
前記乗場検出装置により読み取られた識別情報が許可利用者の識別情報と一致する場合に、エレベータかごの呼び登録を行うことを特徴とする。【００１３】
本発明に係るエレベータの呼び登録処理装置は、
エレベータ乗場において、所定の読み取り周期で、エレベータ利用者が携帯している記憶媒体から無線通信によりエレベータ利用者の識別情報の読み取りを行う乗場検出装置と、
エレベータかご内において、所定の読み取り周期で、エレベータ利用者が携帯している記憶媒体から無線通信によりエレベータ利用者の識別情報の読み取りを行うかご検出装置とに接続され、
前記乗場検出装置及び前記かご検出装置から、読み取られた識別情報を受信する受信部と、
前記乗場検出装置により読み取られた識別情報を登録する識別情報登録部と、
前記乗場検出装置により読み取られた識別情報が前記識別情報登録部に登録されているか否かを判断し、前記乗場検出装置により読み取られた識別情報が登録されていない場合に、前記乗場検出装置により読み取られた識別情報の前記識別情報登録部への登録処理を行うとともに前記エレベータ乗場へのエレベータかごの呼び登録を行う呼び登録処理部と、
前記識別情報登録部に登録されている登録識別情報と同じ識別情報が前記かご検出装置により読み取られなかったことを検知し、登録識別情報と同じ識別情報が前記かご検出装置により読み取られなかったことを検知してから所定の猶予時間が経過した後に当該登録識別情報の登録を消去する登録消去処理部とを有することを特徴とする。【００１４】
前記呼び登録処理部は、
エレベータ利用者が前記エレベータかごから降車したために登録識別情報と同じ識別情報が前記かご検出装置により読み取られなくなり、前記乗場検出装置が前記エレベータかごから降車したエレベータ利用者の記憶媒体から当該エレベータ利用者の識別情報の読み取りを行った場合に、
登録識別情報と同じ識別情報が前記かご検出装置により読み取られなかったことを検知してから猶予時間の間は前記登録消去処理部が当該登録識別情報の登録を維持することで、前記乗場検出装置による降車後のエレベータ利用者の識別情報の読み取りに対してエレベータかごの呼び登録を行わないことを特徴とする。【００１５】
前記登録消去処理部は、
前記猶予時間を５秒以上１０秒以下の間のいずれかとすることを特徴とする。【００１６】
前記エレベータの呼び登録処理装置は、更に、
前記かご検出装置の読み取り周期ごとに、前記かご検出装置により読み取られた識別情報を識別情報記録リストに記録し、識別情報記録リストに記録している識別情報と登録識別情報とが比較された後に、識別情報の記録を識別情報記録リストから消去する識別情報記録リスト管理部を有し、
前記登録消去処理部は、
識別情報記録リストの記録内容と登録識別情報とを比較し、比較の結果、登録識別情報と同じ識別情報が識別情報記録リストに存在していることを検出した場合に、登録識別情報の登録を維持し、
登録識別情報と同じ識別情報が識別情報記録リストに存在していないことを検出した場合に、登録識別情報と同じ識別情報が識別情報記録リストに存在していないことを検出してから前記猶予時間が経過した後に当該登録識別情報の登録を消去することを特徴とする。【００１７】
前記登録消去処理部は、
前記猶予時間が到来する際に前記エレベータかごのドアが開いている状態である場合は、登録識別情報の登録を維持し、前記エレベータかごのドアを閉じる動作が開始してから前記猶予時間が経過した後に、登録識別情報の登録を消去することを特徴とする。【００１８】
本発明に係るエレベータの呼び登録処理装置は、
エレベータ乗場において、所定の読み取り周期で、エレベータ利用者が携帯している記憶媒体から無線通信によりエレベータ利用者の識別情報の読み取りを行う乗場検出装置に接続され、
前記乗場検出装置から、読み取られた識別情報を受信する受信部と、
前記乗場検出装置により読み取られた識別情報を登録する識別情報登録部と、
前記乗場検出装置により読み取られた識別情報が前記識別情報登録部に登録されているか否かを判断し、前記乗場検出装置により読み取られた識別情報が登録されていない場合に、前記乗場検出装置により読み取られた識別情報の前記識別情報登録部への登録処理を行うとともに、当該識別情報の登録処理の後所定の猶予時間が経過した後に前記エレベータ乗場へのエレベータかごの呼び登録を行う呼び登録処理部とを有することを特徴とする。【００１９】
前記呼び登録処理部は、
前記猶予時間を前記乗場検出装置の読み取り周期より長い時間とし、
前記猶予時間が到来する直前の読み取り周期において、前記乗場検出装置が、前記識別情報登録部に登録されている登録識別情報を再度読み取っている場合に、前記猶予時間が経過した後にエレベータかごの呼び登録を行い、
前記猶予時間が到来する直前の読み取り周期において、前記乗場検出装置が、登録識別情報を読み取っていない場合に、エレベータかごの呼び登録を行わないことを特徴とする。【００２０】
前記エレベータの呼び登録処理装置は、更に、
前記乗場検出装置の読み取り周期ごとに、前記乗場検出装置により読み取られた識別情報を識別情報記録リストに記録し、識別情報記録リストに記録している識別情報と登録識別情報とが比較された後に、識別情報の記録を識別情報記録リストから消去する識別情報記録リスト管理部を有し、
前記呼び登録処理部は、
識別情報記録リストの記録内容と登録識別情報とを比較し、比較の結果、登録識別情報と同じ識別情報が識別情報記録リストに存在していることを検出した場合に、登録識別情報の登録を維持し、
登録識別情報と同じ識別情報が識別情報記録リストに存在していないことを検出した場合に、登録識別情報を消去し、
前記猶予時間の到来の際に登録識別情報の登録が維持されている場合に、エレベータかごの呼び登録を行うことを特徴とする。【００２１】
前記エレベータの呼び登録処理装置は、更に、
エレベータの利用が許可された許可利用者の識別情報を記憶する許可利用者識別情報記憶部を有し、
前記呼び登録処理部は、
前記乗場検出装置により読み取られた識別情報が許可利用者の識別情報と一致する場合に、エレベータかごの呼び登録を行うことを特徴とする。
【発明の効果】
【００２２】
本発明によれば、登録された登録識別情報と同じ識別情報がかご検出装置により読み取られなくなった際に、猶予時間の経過後に当該識別情報の登録を消去することで、エレベータ利用者がエレベータかごから降車した際に、降車先の乗場の乗場検出装置で識別情報が読み取られても登録が維持されているので、呼び登録が行われない。
このため、少ない検出装置にて誤検出のないエレベータの呼び登録システムを実現することが可能である。
【発明を実施するための最良の形態】
【００２３】
実施の形態１．
図１は、本実施の形態に係るエレベータの呼び登録システムの構成例を示す。
図１に示すように、本実施の形態に係るエレベータの呼び登録システムでは、各エレベータ乗場に乗場検出装置１００を配置するとともに、エレベータかご５００にもかご検出装置２００を配置する。
また、本実施の形態に係るエレベータの呼び登録システムでは、エレベータ利用者３００（以下、単に利用者ともいう）はエレベータ利用者３００の識別情報（以下、個体識別情報又はＩＤ（Ｉｄｅｎｔｉｆｉｃａｔｉｏｎ）という）が格納された記憶媒体である個体識別タグ４００を携帯する。
乗場検出装置１００及びかご検出装置２００は、それぞれ所定の読み取り周期で、無線通信により個体識別情報の読み取りを試行する。利用者３００が無線通信範囲内にいれば、乗場検出装置１００及びかご検出装置２００は、個体識別タグ４００から利用者３００の個体識別情報の読み取りを行う。
なお、認証装置６００が周期的に乗場検出装置１００及びかご検出装置２００に個体識別情報の読み取りを指示し、乗場検出装置１００及びかご検出装置２００は読み取り指示に従って、個体識別情報の読み取りを試行してもよいし、乗場検出装置１００及びかご検出装置２００が各々タイマを備え、タイマ計時に基づいて周期的に個体識別情報の読み取りを試行してもよい。【００２４】
また、乗場検出装置１００及びかご検出装置２００は、それぞれ、認証装置６００と接続される。
乗場検出装置１００及びかご検出装置２００は、収集した個体識別情報を認証装置６００に認証通信路８００を通じて伝送する。
認証装置６００は、乗場検出装置１００及びかご検出装置２００と認証通信路８００で接続され、エレベータ制御装置７００と通信路９００で接続される。
認証装置６００は、エレベータの利用が許可された許可利用者の識別情報（以下、許可利用者識別情報又は許可ＩＤという）を記憶しており、乗場検出装置１００で読み取られた個体識別情報と許可利用者識別情報とを比較して利用者３００の認証を行う。
つまり、認証装置６００は、乗場検出装置１００及びかご検出装置２００から伝送された個体識別情報が許可利用者識別情報と一致するか否かを判別し、一致する場合には、個体識別情報と検出した乗場検出装置１００の設置箇所に基づき、呼び登録を行う。
具体的には、認証装置６００は、エレベータ制御装置７００に呼び情報として乗車階と行先階を通信路９００経由で送信する。
なお、認証装置６００は、呼び登録処理装置の例である。【００２５】
通信路９００と認証通信路８００は、有線であっても無線であっても構わないし、また、配線やトポロジを図示したものに限定するものではなく、図示以外の例えばスター結線（認証装置６００から１対１に検出装置を接続する）であっても構わない。【００２６】
エレベータ制御装置７００は、認証装置６００から伝送された呼び情報に基づき、エレベータを配車する。【００２７】
個体識別タグ４００は、代表的には、カードや鍵などの形状をしているものであり、検出装置とは、無線通信を行う。
一般的にはＲＦＩＤ（Ｒａｄｉｏ  Ｆｒｅｑｕｅｎｃｙ  ＩＤｅｎｔｉｆｉｃａｔｉｏｎ）タグと呼ばれるものなどが該当する。
この個体識別タグ４００は個体を識別することが可能である個体識別情報を記憶している。個体識別情報は通常それぞれに割り振られた唯一の（ユニークな）番号であることが多い。【００２８】
乗場検出装置１００及びかご検出装置２００は、上記個体識別タグ４００と無線通信を行う。個体識別タグ４００の個体識別情報を収集する場合に、送信する電波帯と、個体識別タグ４００から受信する電波帯は同一とは限らず異なっていることもある。【００２９】
ここで、本実施の形態に係る認証装置６００の動作の概要を説明する。【００３０】
認証装置６００は、乗場検出装置１００により読み取られた個体識別情報を受信し、受信した識別情報が許可ＩＤであるか否かを判断し、許可ＩＤである場合には、認証装置６００において登録されているか否かを判断する。
登録されていない場合には、受信した個体識別情報を登録するとともにエレベータ乗場へのエレベータかごの呼び登録を行う。
また、エレベータ利用者３００がエレベータかご５００に乗車した後は、かご検出装置２００により読み取られた個体識別情報を受信し、登録ＩＤ（登録識別情報）と同じ個体識別情報がかご検出装置２００により読み取られているか否かを判断し、登録ＩＤと同じ識別情報がかご検出装置２００により読み取られなくなったことを検知した場合に、検知から所定の猶予時間が経過した後に登録ＩＤの登録を消去する。
このように猶予時間が経過した後に登録ＩＤを消去する理由は以下の通りである。【００３１】
本実施の形態では、乗場検出装置１００はエレベータ乗場の近傍に配置されている。このため、エレベータ利用者３００がエレベータかご５００から降車した際には、乗場検出装置１００は、降車後のエレベータ利用者の個体識別タグ４００から個体識別情報を読み取ることになる。
かご内検出装置２００により個体識別情報が読み取られなくなる場合とは、かご内検出装置２００の無線通信範囲内に個体識別タグ４００が存在しない場合、つまり、エレベータ利用者３００がエレベータかご５００から降車した場合である。
この場合は、前述したように、乗場検出装置１００がエレベータかご５００から降車したエレベータ利用者３００の個体識別タグ４００から当該エレベータ利用者３００の個体識別情報の読み取りを行い、認証装置６００に個体識別情報を送信する。
認証装置６００は、乗場検出装置１００からの個体識別情報を受信し、登録の有無を判断する。ここで、登録されていなければ、降車したエレベータ利用者３００のために呼び登録が行われることになる。しかし、本実施の形態に係る認証装置６００は、猶予時間の間は登録ＩＤの登録を維持するので、乗場検出装置１００による降車後のエレベータ利用者３００の個体識別情報の読み取りに対してエレベータかごの呼び登録を行わない。
このような理由によるため、猶予時間は、降車したエレベータ利用者３００が乗場検出装置１００の無線通信範囲外に達するのに十分な時間である必要がある。
一方で、猶予時間が長いと、降車したエレベータ利用者３００が続けて乗車したいときに不都合を生じる。このため、猶予時間は５秒以上１０秒以下の間のいずれかであることが望ましい。【００３２】
次に、図８を参照して、本実施の形態に係る乗場検出装置１００及びかご検出装置２００の構成例を説明する。
なお、以下では、乗場検出装置１００の構成として説明するが、かご検出装置２００のも同じ構成である。【００３３】
図８において、制御部１０１は乗場検出装置１００の全体の制御を行う。
認証装置通信部１０２は、認証通信路８００を介して認証装置６００と通信を行う。具体的には、読み取った個体識別情報を認証装置６００に送信する。
識別情報読み取り部１０３は、エレベータ利用者３００の個体識別タグ４００と無線通信を行い、個体識別タグ４００から個体識別情報を読み取る。【００３４】
図９は、本実施の形態に係る認証装置６００の構成例を示す。【００３５】
制御部６０１は、認証装置６００全体の制御を行う。【００３６】
タイマ６０２は、猶予時間の計測及び各検出装置の読み取り周期の計測を行う。【００３７】
検出装置通信部６０３は、認証通信路８００を介して乗場検出装置１００及びかご検出装置２００と通信を行う。
具体的には、乗場検出装置１００及びかご検出装置２００から個体識別情報を受信する。
検出装置通信部６０３は受信部の例である。【００３８】
許可ＩＤリスト記憶部６０４は、エレベータの利用が許可された許可利用者の許可ＩＤが列挙された許可ＩＤリストを記憶する。
許可ＩＤリスト記憶部６０４は許可利用者識別情報記憶部の例である。【００３９】
ＩＤ登録部６０５は、乗場検出装置１００又はかご検出装置２００により読み取られた個体識別情報を登録する。
ＩＤ登録部６０５に登録されている登録ＩＤの一覧を登録ＩＤリストという。
ＩＤ登録部６０５は識別情報登録部の例である。【００４０】
呼び登録処理部６０６は、乗場検出装置１００により読み取られた個体識別情報が許可ＩＤリストに示されている許可ＩＤと一致し、また、ＩＤ登録部６０５に未登録である場合に、ＩＤ登録部６０５に個体識別情報の登録処理を行うとともに、エレベータかご５００の呼び登録を行う。【００４１】
一時記録ＩＤリスト管理部６０７は、一時記録ＩＤリストを管理する。
一時記録ＩＤリストとは、乗場ごと、エレベータかごごとに用意されたリストであり、乗場検出装置１００又はかご検出装置２００により読み取られたＩＤを一時的に記録するためのリストである。一時記録ＩＤリストは識別情報記録リストの例である。また、一時記録ＩＤリスト管理部６０７は識別情報記録リスト管理部の例である。
一時記録ＩＤリスト管理部６０７は、乗場検出装置１００又はかご検出装置２００の読み取り周期ごとに、乗場検出装置１００又はかご検出装置２００により読み取られたＩＤを一時記録ＩＤリストに記録し、後述する登録消去処理部６０８により一時記録ＩＤリストに記録しているＩＤとＩＤ登録部６０５に登録されている登録ＩＤ（登録識別情報）とが比較された後に、一時記録ＩＤリストにおけるＩＤの記録を消去する。【００４２】
登録消去処理部６０８は、定期的に、一時記録ＩＤリストの記録内容と登録ＩＤとを比較し、比較の結果、登録ＩＤと同じＩＤが一時記録ＩＤリストに存在していることを検出した場合に、登録ＩＤの登録を維持し、登録ＩＤと同じＩＤが一時記録ＩＤリスに存在していないことを検出した場合に、登録ＩＤを消去する。
登録消去処理部６０８は、登録ＩＤと同じＩＤが乗場検出装置１００の一時記録ＩＤリストに存在しない場合は、登録ＩＤと同じＩＤが一時記録ＩＤリスに存在していないことを検出した際に即座に登録ＩＤを消去する。
一方、登録ＩＤと同じＩＤがかご検出装置２００の一時記録ＩＤリストに存在しない場合は、登録ＩＤと同じＩＤが一時記録ＩＤリスに存在していないことを検出してから猶予時間が経過した後に当該登録ＩＤの登録を消去する。
これは、前述したように、エレベータ利用者３００がエレベータかご５００から降車した際に、猶予時間の間は登録ＩＤの登録を維持することで、乗場検出装置１００による降車後のエレベータ利用者３００の個体識別情報の読み取りに対してエレベータかごの呼び登録を行わないようにするためである。
また、登録消去処理部６０８は、猶予時間が到来する際にエレベータかご５００のドアが開いている状態である場合は、登録ＩＤの登録を維持し、エレベータかご５００のドアを閉じる動作が開始してから猶予時間が経過した後に、登録ＩＤの登録を消去する。【００４３】
ここで、許可ＩＤリスト記憶部６０４に格納されている許可ＩＤリストの例を図４に示す。
図４に示すように、個体識別情報ごとに、利用者の行先階が記憶される。
なお、エレベータ利用者が、図４に示す行先階から乗車する場合は、エントランスが行先階となる。【００４４】
また、許可ＩＤリストの別の例として図５に示すものがある。
図５の例では、乗場階ごとに異なった行先階を指定可能である。
例えば、個体識別情報が「４５６７７７１０２」の利用者がＢ１階又は２階から乗車した場合は行先階は４階と指定されるが、１階から乗車した場合には行先階は６階と指定される。【００４５】
呼び登録処理部６０６は、呼び登録の際には、エレベータ制御装置７００に、乗場検出装置１００の設置階に基づき、エレベータ制御装置７００に行先階と乗場階の情報を送信する。【００４６】
次に、図２、図３に本実施の形態に係る呼び登録動作のフローチャートを示す。
図２は、乗場検出装置１００ひとつずつに対して認証装置６００において実施される動作のフローを示す。複数の乗場検出装置１００の各々に対して、逐次または並行してこのフローが実施される。
図３は、かご検出装置２００に対して認証装置６００において実施される動作フローである。
また、図２と図３は連続して動作することも、並行して動作することも可能である。【００４７】
また、図２及び図３に示される処理を説明するにあたって、一時記録ＩＤリストは、かご、乗場毎に用意されるが、許可ＩＤリスト、登録ＩＤリストは、かご、各乗場で共通に用意されるものとする。
以下、図２に基づき乗場毎のフローを説明する。【００４８】
認証装置６００は、まず乗場に設置された乗場検出装置１００に検出指示を出し、検出された個体識別タグ４００の個体識別情報（ＩＤ）を受信する（Ｓ２０１）。
このとき、一度に複数のＩＤが収集される場合もある。【００４９】
次に、認証装置６００では、一時記録ＩＤリスト管理部６０７が収集された個体識別情報を該当乗場用の一時記録ＩＤリストに記録する（Ｓ２０２）。【００５０】
次に、呼び登録処理部６０６が、当該乗場用の一時記録ＩＤリストに記録された個体識別情報のうち抽出していない（処理していない）個体識別情報がないか判断する（Ｓ２０３）。未抽出の個体識別情報が有る場合は、Ｓ２０４に進む。
一方、未抽出の個人識別情報がなくなったか、当該乗場の乗場検出装置１００から受信した個体識別情報がない場合はＳ２０９に進む。【００５１】
Ｓ２０３でＹＥＳの場合は、呼び登録処理部６０６は、当該乗場用の一時記録ＩＤリストから未抽出（未処理）の個体識別情報を抽出する（Ｓ２０４）。
このとき、抽出した当該個体識別情報が処理済みであることを当該乗場用の一時記録ＩＤリストに記録する。【００５２】
次に、呼び登録処理部６０６は、Ｓ２０４で抽出した個体識別情報が許可ＩＤリストに示されている許可された個体識別情報に一致するかどうかを判別する（Ｓ２０５）。
許可された個体識別情報に一致する場合は、Ｓ２０６に進む。
一方、許可された個体識別情報に一致しない場合は、Ｓ２０３に進む。【００５３】
Ｓ２０５でＹＥＳであれば、呼び登録処理部６０６は、Ｓ２０４で抽出した個体識別情報がその時点でＩＤ登録部６０５に登録されている登録ＩＤと一致するかどうかを判断する（Ｓ２０６）。
登録ＩＤと一致しなければＳ２０７へ進む。
登録されていれば再びＳ２０３に進む。【００５４】
Ｓ２０６でＮＯであれば、呼び登録処理部６０６は、Ｓ２０４で抽出した個体識別情報が乗場検出装置１００の設置された乗場で検出され許可された個体識別情報であることをＩＤ登録部６０５に登録する（Ｓ２０７）。【００５５】
次に、呼び登録処理部６０６は、乗場検出装置１００の設置された乗場を乗車階とし、許可ＩＤリストに示される個体識別情報の行先階を行先階とする呼び情報をエレベータ制御装置７００に送信する（Ｓ２０８）。【００５６】
Ｓ２０３でＮＯであった場合は、登録消去処理部６０８が、ＩＤ登録部６０５の登録ＩＤリストに示される登録ＩＤのうち、当該乗場用の一時記録ＩＤリストには消去されて記録されていない登録ＩＤを登録ＩＤリストから消去する（Ｓ２０９）。【００５７】
次に、登録消去処理部６０８は、一時記録ＩＤリスト管理部６０７に指示して、一時記録ＩＤリストに記録されているＩＤをすべて消去する（Ｓ２１０）。【００５８】
ここで、ある乗場検出装置１００においてあるエレベータ利用者３００のＩＤを初めて読み込んだ際の認証装置６００の動作を図２のフローに沿って説明する。
なお、以下では説明の簡明化のため、一人のエレベータ利用者３００のＩＤが読み込まれた例を用いて説明する。【００５９】
ある乗場検出装置１００においてあるエレベータ利用者３００のＩＤを初めて読み込んだ場合（Ｓ２０１）は、認証装置６００が当該ＩＤを一時記録リストに記録する（Ｓ２０２）。また、未処理であるため、当該ＩＤが許可ＩＤリストの許可ＩＤと一致するか確認し（Ｓ２０５）、許可ＩＤと一致すれば、当該ＩＤが登録済みかどうかを確認する（Ｓ２０６）。この場合は、登録済みでないので、登録し（Ｓ２０７）、呼び登録を行う（Ｓ２０８）。
次に、認証装置６００は、処理をＳ２０３に戻し、ここでは未処理ＩＤがないので、処理をＳ２０９に移す。
そして、Ｓ２０９の判断において、現在このエレベータ利用者３００のＩＤは一時記録リストにある登録ＩＤなので、当該エレベータ利用者３００の登録ＩＤは消去されない。
次に、認証装置６００は、Ｓ２１０において、一時記録ＩＤリストの当該エレベータ利用者３００のＩＤを消去する。【００６０】
乗場検出装置１００の次の読み取り周期まで、当該エレベータ利用者３００が乗場に残っている場合は、再度、当該エレベータ利用者のＩＤが収集される（Ｓ２０１）。
認証装置６００では、当該ＩＤが再度一時記録リストに記録され（Ｓ２０２）、また未処理であるため、許可ＩＤと比較され（Ｓ２０５）、許可ＩＤと一致するので、登録ＩＤと比較され、登録済みであるため、処理がＳ２０３に戻る。
Ｓ２０３では未処理ＩＤがないので、処理がＳ２０９に移り、Ｓ２０９の判断において、現在このエレベータ利用者３００のＩＤは一時記録リストにある登録ＩＤなので、当該エレベータ利用者３００の登録ＩＤは消去されない。
次に、認証装置６００は、Ｓ２１０において、一時記録ＩＤリストの当該エレベータ利用者３００のＩＤを消去する。【００６１】
一方、例えば、エレベータかご５００に乗車した等の理由により、乗場検出装置１００の次の読み取り周期において、エレベータ利用者３００が乗場から立ち去っている場合は、乗場検出装置１００においてＩＤが読み取られず、このため、認証装置６００において当該エレベータ利用者３００のＩＤの一時記録リストへの記録も行われない。
そして、未処理ＩＤもないので、処理がＳ２０９に移る。
この時点では、当該エレベータ利用者のＩＤは登録ＩＤリストに登録されているが、一時記録リストには記録されていない。
このため、この時点で、認証装置６００は、当該エレベータ利用者のＩＤを登録ＩＤリストから消去して（Ｓ２０９）、Ｓ２１０に進む。
Ｓ２１０においては、一時記録リストには記録されているＩＤは存在しないので消去はしない。【００６２】
次に、図３に基づき、かご検出装置２００においてＩＤが読み込まれた際のフローを説明する。【００６３】
認証装置６００は、かご検出装置２００に検出指示を出し、かご検出装置２００で検出された個体識別タグ４００の個体識別情報（ＩＤ）を受信する（Ｓ３０１）。
このとき、一度に複数のＩＤが収集される場合もある。【００６４】
次に、認証装置６００では、一時記録ＩＤリスト管理部６０７が収集された個体識別情報をエレベータかご用の一時記録ＩＤリストに記録する（Ｓ３０２）。【００６５】
次に、呼び登録処理部６０６が、エレベータかご用の一時記録ＩＤリストに記録された個体識別情報のうち抽出していない（処理していない）個体識別情報がないか判断する（Ｓ３０３）。未抽出の個体識別情報が有る場合は、Ｓ３０４に進む。
一方、未抽出の個人識別情報がなくなったか、かご検出装置２００から受信した個体識別情報がない場合はＳ３０８に進む。【００６６】
Ｓ３０３でＹＥＳの場合は、呼び登録処理部６０６は、エレベータかご用の一時記録ＩＤリストから未抽出（未処理）の個体識別情報を抽出する（Ｓ３０４）。
このとき、抽出した当該個体識別情報が処理済みであることをエレベータかご用の一時記録ＩＤリストに記録する。
次に、呼び登録処理部６０６は、Ｓ３０４で抽出した個体識別情報が許可ＩＤリストに示されている許可された個体識別情報に一致するかどうかを判別する（Ｓ３０５）。
許可された個体識別情報に一致する場合は、Ｓ３０６に進む。
一方、許可された個体識別情報に一致しない場合は、Ｓ３０３に進む。【００６７】
Ｓ３０５でＹＥＳであれば、呼び登録処理部６０６は、Ｓ３０４で抽出した個体識別情報がその時点でＩＤ登録部６０５に登録されている登録ＩＤと一致するかどうかを判断する（Ｓ３０６）。
登録ＩＤと一致しなければＳ３０７へ進む。
登録されていれば再びＳ３０３に進む。【００６８】
Ｓ３０６でＮＯであれば、呼び登録処理部６０６は、Ｓ３０４で抽出した個体識別情報が乗場検出装置１００の設置された乗場で検出され許可された個体識別情報であることをＩＤ登録部６０５に登録する（Ｓ３０７）。
但し、かごが戸開中または停止中の場合は登録しない。【００６９】
Ｓ３０３でＮＯであった場合は、登録消去処理部６０８が、ＩＤ登録部６０５の登録ＩＤリストに示される登録ＩＤのうち、当該乗場用の一時記録ＩＤリストには消去されて記録されていない登録ＩＤを猶予時間の経過後に登録ＩＤリストから消去する（Ｓ３０８）。
猶予時間は、通常エレベータ利用者３００がかごから降車して、乗場近辺から離れてＩＤが乗場検出装置１００で検出されなくなるのに必要な時間とするのが望ましい。
一般的には５秒程度あれば適当である。逆に長すぎると、記録が消去されずに、続けて乗車したいときに呼び登録されるのが遅くなる。
このため、５秒〜１０秒の間で猶予時間を設定することが望ましい。
但し、かごが戸開中または停止中の場合は登録を消去しない。【００７０】
次に、登録消去処理部６０８は、一時記録ＩＤリスト管理部６０７に指示して、一時記録ＩＤリストに記録されているＩＤをすべて消去する（Ｓ３０９）。【００７１】
なお、上記Ｓ３０６及びＳ３０８において、かごが戸開中または停止中に登録又は登録消去動作をしない代わりに、かごが戸開中または停止中に図３のフロー自体を実施しないことも可能である。【００７２】
ここで、かご検出装置２００においてあるエレベータ利用者３００のＩＤを初めて読み込んだ際の認証装置６００の動作を図３のフローに沿って説明する。
なお、以下では説明の簡明化のため、一人のエレベータ利用者３００のＩＤが読み込まれた例を用いて説明する。【００７３】
かご検出装置２００においてあるエレベータ利用者３００のＩＤを初めて読み込んだ場合（Ｓ３０１）は、認証装置６００が当該ＩＤを一時記録リストに記録する（Ｓ３０２）。そして、また未処理であるため、当該ＩＤが許可ＩＤリストの許可ＩＤと一致するか確認し（Ｓ３０５）、許可ＩＤと一致すれば、当該ＩＤが登録済みかどうかを確認する（Ｓ３０６）。
通常は、かご検出装置２００でＩＤが読み込まれた際には、乗場検出装置１００でＩＤが読み込まれたときの登録処理（Ｓ２０７）での登録が維持されている（Ｓ２０９で登録が消去されていない）と考えられるので、登録済みとなり、処理がＳ３０３に戻る。
例外的に、未登録となっていれば、認証装置６００は登録処理を行う（Ｓ３０７）。
次に、認証装置６００は、処理をＳ３０３に戻し、ここでは未処理ＩＤがないので、処理をＳ３０８に移す。
そして、Ｓ３０８の判断において、現在このエレベータ利用者３００のＩＤは一時記録リストにある登録ＩＤなので、当該エレベータ利用者３００の登録ＩＤは消去されない。
次に、認証装置６００は、Ｓ３０９において、一時記録ＩＤリストの当該エレベータ利用者３００のＩＤを消去する。【００７４】
かご検出装置２００の次の読み取り周期まで、当該エレベータ利用者３００がかご内に残っている場合は、再度、当該エレベータ利用者のＩＤが収集される（Ｓ３０１）。
認証装置６００では、当該ＩＤが再度一時記録リストに記録され（Ｓ３０２）、また未処理であるため、許可ＩＤと比較され（Ｓ３０５）、許可ＩＤと一致するので、登録ＩＤと比較され、登録済みであるため、処理がＳ３０３に戻る。
Ｓ３０３では未処理ＩＤがないので、処理がＳ３０８に移り、Ｓ３０８の判断において、現在このエレベータ利用者３００のＩＤは一時記録リストにある登録ＩＤなので、当該エレベータ利用者３００の登録ＩＤは消去されない。
次に、認証装置６００は、Ｓ３０９において、一時記録ＩＤリストの当該エレベータ利用者３００のＩＤを消去する。【００７５】
一方、かご検出装置２００の次の読み取り周期において、エレベータ利用者３００がエレベータかご５００から降車している場合は、かご検出装置２００においてＩＤが読み取られず、このため、認証装置６００において当該エレベータ利用者３００のＩＤの一時記録リストへの記録も行われない。
そして、未処理ＩＤもないので、処理がＳ３０８に移る。
この時点では、当該エレベータ利用者のＩＤは登録ＩＤリストに登録されているが、一時記録リストには記録されていない。
このため、猶予時間の経過後に、認証装置６００は、当該エレベータ利用者のＩＤを登録ＩＤリストから消去して（Ｓ３０８）、Ｓ３０９に進む。
Ｓ３０９においては、一時記録リストには記録されているＩＤは存在しないので消去はしない。【００７６】
このように、本実施の形態に係るエレベータの呼び登録システムでは、エレベータ利用者３００はエレベータ利用者３００の個体識別情報が格納された記憶媒体である個体識別タグ４００を携帯する。
さらに、エレベータ乗場とエレベータかご５００に個体識別タグ４００を検出する検出装置を設置する。
検出装置は、認証装置６００と接続され、認証装置６００は、検出装置に検出指示を出し、検出装置は検出した個体識別タグ４００の個体識別情報を認証装置６００に認証通信路８００を通じて伝送する。
認証装置６００は、検出装置から伝送された個体識別情報が事前に登録され許可された個体識別情報であるかを判別し、許可されたものであれば、個体識別情報と検出した検出装置の設置箇所に基づき、エレベータを制御するエレベータ制御装置７００に、呼び情報として乗車階と行先階を通信路９００経由で送信する。
エレベータ制御装置７００は認証装置６００から伝送された呼び情報に基づき、エレベータかご５００を配車する。【００７７】
また、本実施の形態に係るエレベータの呼び登録システムでは、エレベータかご５００に設置された検出装置で検出された個体識別タグ４００の個体識別情報を一定時間記録することで、乗場に設置された検出装置で検出した個体識別タグ４００が直前にかごで検出されていたことを判別することができるように構成している。
このため、乗場で検出された個体識別タグ４００を携帯した利用者が降車したのか、乗車しようとしているのかを判別することができる。また、かごで検出された個体識別タグ４００を一定時間後に記録から消去するように構成する。このことで、一定時間後、ふたたび降車した乗場から乗車することが可能になる。これらにより、少ない認証装置６００で使い勝手のよい（誤検出の少ない）エレベータの呼び登録システムが提供できる。【００７８】
また、本実施の形態に係るエレベータの呼び登録システムでは、エレベータかご５００で検出された個体識別タグ４００を一定時間後に記録から消去することに代わって、エレベータの戸開動作中又は停止中には、かごで検出された個体識別タグ４００を記録、消去しないことにより、乗車、降車の判別を実施する。
また、上記の一定時間の間記録することと、上記の戸開動作中又は停止中に個体識別タグ４００を記録・消去しないことの両方を行うことについても説明した。【００７９】
以上、本実施の形態によれば、認証装置は、登録された登録ＩＤと同じＩＤがかご検出装置から送信されなくなった際に、一定時間の経過後に当該ＩＤの登録を消去するため、エレベータ利用者がエレベータかごから降車した際に、降車先の乗場の乗場検出装置でＩＤが読み取られても登録が維持されているので、呼び登録が行われない。
このため、少ない検出装置にて誤検出のないエレベータの呼び登録システムを実現することが可能である。【００８０】
実施の形態２．
図１０は、本実施の形態に係るエレベータの呼び登録システムの構成例を示す。
図１０に示すように、本実施の形態に係るエレベータの呼び登録システムでは、エレベータかご５００にはかご検出装置２００が配置されず、乗場検出装置１００のみが配置される。
その他の構成は、図１に示したものと同様である。【００８１】
また、図１１は、本実施の形態に係る認証装置６００の構成例を示す。
図１１では、図９に示した登録消去処理部６０８が存在しない。その他の構成は図９に示したものと同様である。【００８２】
実施の形態１では、認証装置６００は、乗場検出装置１００から受信したＩＤが登録ＩＤでない場合（図２のＳ２０６でＮＯ）は、即座にエレベータかご５００の呼び登録を行っている（Ｓ２０８）。
このため、乗場を通り過ぎるだけの利用者に対して誤って呼び登録する可能性がある。
本実施の形態では、このような利用者が乗場を通り過ぎる場合には呼び登録を行わない例を説明する。
また、本実施の形態１と同様に、本実施の形態においても、降車したばかりの利用者を検出した際に呼び登録してしまうことはない。【００８３】
本実施の形態に係る認証装置６００の動作例を図６及び図７を参照して説明する。【００８４】
認証装置６００は、まず乗場に設置された乗場検出装置１００に検出指示を出し、検出された個体識別タグ４００の個体識別情報（ＩＤ）を受信する（Ｓ６０１）。
このとき、一度に複数のＩＤが収集される場合もある。【００８５】
次に、認証装置６００では、一時記録ＩＤリスト管理部６０７が収集された個体識別情報を該当乗場用の一時記録ＩＤリストに記録する（Ｓ６０２）。【００８６】
次に、呼び登録処理部６０６が、当該乗場用の一時記録ＩＤリストに記録された個体識別情報のうち抽出していない（処理していない）個体識別情報がないか判断する（Ｓ６０３）。未抽出の個体識別情報が有る場合は、Ｓ６０４に進む。
一方、未抽出の個人識別情報がなくなったか、当該乗場の乗場検出装置１００から受信した個体識別情報がない場合はＳ６０９に進む。【００８７】
Ｓ６０３でＹＥＳの場合は、呼び登録処理部６０６は、当該乗場用の一時記録ＩＤリストから未抽出（未処理）の個体識別情報を抽出する（Ｓ６０４）。
このとき、抽出した当該個体識別情報が処理済みであることを当該乗場用の一時記録ＩＤリストに記録する。【００８８】
次に、呼び登録処理部６０６は、Ｓ６０４で抽出した個体識別情報が許可ＩＤリストに示されている許可された個体識別情報に一致するかどうかを判別する（Ｓ６０５）。
許可された個体識別情報に一致する場合は、Ｓ６０６に進む。
一方、許可された個体識別情報に一致しない場合は、Ｓ６０３に進む。【００８９】
Ｓ６０５でＹＥＳであれば、呼び登録処理部６０６は、Ｓ６０４で抽出した個体識別情報がその時点でＩＤ登録部６０５に登録されている登録ＩＤと一致するかどうかを判断する（Ｓ６０６）。
登録ＩＤと一致しなければＳ６０７へ進む。
登録されていれば再びＳ６０３に進む。【００９０】
Ｓ６０６でＮＯであれば、呼び登録処理部６０６は、Ｓ６０４で抽出した個体識別情報が乗場検出装置１００の設置された乗場で検出され許可された個体識別情報であることをＩＤ登録部６０５に登録し（Ｓ６０７）、また、呼び登録処理部６０６は、当該個体識別情報と対応付けて現在時刻を登録時刻としてＩＤ登録部６０５に登録する（Ｓ６０８）。【００９１】
Ｓ６０３でＮＯであった場合は、呼び登録処理部６０６が、ＩＤ登録部６０５の登録ＩＤリストに示される登録ＩＤのうち、当該乗場用の一時記録ＩＤリストには消去されて記録されていない登録ＩＤを登録ＩＤリストから消去する（Ｓ６０９）。
また、呼び登録処理部６０６は、消去した登録ＩＤの登録時刻（Ｓ６０８で登録した登録時刻）を消去する（Ｓ６１０）。
更に、呼び登録処理部６０６は、一時記録ＩＤリスト管理部６０７に指示して、一時記録ＩＤリストに記録されているＩＤをすべて消去する（Ｓ６１１）。【００９２】
また、認証装置６００には、図６のフローとは並行又は逐次処理される独立したフローがある。このフローを図７に従って説明する。【００９３】
呼び登録処理部６０６は、登録ＩＤリストに記録されている個体識別情報のうち、その登録時刻から一定時間（猶予時間）が経過した個体識別情報の有無を確認し、あればＳ７０２に進み、なければ終了する。
なお、この猶予時間は、乗場検出装置１００における読み取り周期より長い時間である。
つまり、利用者がエレベータに乗車するために乗場で待つ場合には、個体識別情報がＩＤ登録部６０５に登録され（Ｓ６０７）、登録時刻がＩＤ登録部６０５に登録されて（Ｓ６０８）から猶予時間が到来するまでに少なくとも一度は、当該個体識別情報が乗場検出装置１００により読み取られて図６のＳ６０１〜Ｓ６１１の処理が実施される。【００９４】
Ｓ７０１でＹＥＳの場合は、呼び登録処理部６０６は、乗場検出装置１００の設置された乗場を乗車階として、認証装置６００に予め設定されている許可ＩＤリストに記録された個体識別情報の行先階をエレベータのエレベータ制御装置７００に呼び情報として送信する。【００９５】
ここで、ある乗場検出装置１００においてあるエレベータ利用者３００のＩＤを初めて読み込んだ際の認証装置６００の動作を図６及び図７のフローに沿って説明する。
なお、以下では説明の簡明化のため、一人のエレベータ利用者３００のＩＤが読み込まれた例を用いて説明する。【００９６】
ある乗場検出装置１００においてあるエレベータ利用者３００のＩＤを初めて読み込んだ場合（Ｓ６０１）は、認証装置６００が当該ＩＤを一時記録リストに記録する（Ｓ６０２）。そして、また未処理であるため、当該ＩＤが許可ＩＤリストの許可ＩＤと一致するか確認し（Ｓ６０５）、許可ＩＤと一致すれば、当該ＩＤが登録済みかどうかを確認し（Ｓ６０６）、登録済みでないので、登録し（Ｓ６０７）、また、登録時刻も登録する（Ｓ６０８）。
次に、認証装置６００は、処理をＳ６０３に戻し、ここでは未処理ＩＤがないので、処理をＳ６０９に移す。
そして、Ｓ６０９の判断において、現在このエレベータ利用者３００のＩＤは一時記録リストにある登録ＩＤなので、当該エレベータ利用者３００の登録ＩＤは消去されない。また、当該登録ＩＤの登録時刻も消去されない。
次に、認証装置６００は、Ｓ６１１において、一時記録ＩＤリストの当該エレベータ利用者３００のＩＤを消去する。【００９７】
乗場検出装置１００の次の読み取り周期まで、当該エレベータ利用者３００が乗場に残っている場合は、再度、当該エレベータ利用者のＩＤが収集される（Ｓ６０１）。
認証装置６００では、当該ＩＤが再度一時記録リストに記録され（Ｓ６０２）、また未処理であるため、許可ＩＤと比較され（Ｓ６０５）、許可ＩＤと一致するので、登録ＩＤと比較され、登録済みであるため、処理がＳ６０３に戻る。
Ｓ６０３では未処理ＩＤがないので、処理がＳ６０９に移り、Ｓ６０９の判断において、現在このエレベータ利用者３００のＩＤは一時記録リストにある登録ＩＤなので、当該エレベータ利用者３００の登録ＩＤは消去されず、また、登録時刻も消去されない。
次に、認証装置６００は、Ｓ６１１において、一時記録ＩＤリストの当該エレベータ利用者３００のＩＤを消去する。【００９８】
一方、例えば、乗場検出装置１００の次の読み取り周期において、エレベータ利用者３００が乗場から立ち去っている場合は、乗場検出装置１００においてＩＤが読み取られず、このため、認証装置６００において当該エレベータ利用者３００のＩＤの一時記録リストへの記録も行われない。
そして、未処理ＩＤもないので、処理がＳ６０９に移る。
この時点では、当該エレベータ利用者のＩＤは登録ＩＤリストに登録されているが、一時記録リストには記録されていない。
このため、この時点で、認証装置６００は、当該エレベータ利用者のＩＤを登録ＩＤリストから消去し（Ｓ６０９）、更に登録時刻も消去して（Ｓ６１０）、Ｓ６１１に進む。
Ｓ６１１においては、一時記録リストには記録されているＩＤは存在しないので消去はしない。【００９９】
上記の動作とは独立して、認証装置６００では、登録ＩＤリストに記録されている個体識別情報のうち、その登録時刻から一定時間（猶予時間）が経過した個体識別情報の有無を確認し、あれば、呼び登録を行う（Ｓ７０２）。
つまり、猶予時間が到来する直前の読み取り周期において乗場検出装置１００が再度登録ＩＤを読み取っている場合は、ＩＤの登録は消去されず、また、登録時刻も消去されないので、猶予時間の到来の際にＩＤの登録が維持されており、図７のＳ７０１でＹＥＳとなり、呼び登録が行われる。
一方、猶予時間が到来する直前の読み取り周期において乗場検出装置１００がＩＤを読み取っていない場合は、図６のＳ６０９においてＩＤの登録が消去され、また、Ｓ６１０において登録時刻も消去されるので、図７のＳ７０１においてＹＥＳとはならず、呼び登録が行われない。【０１００】
このように、本実施の形態に係るエレベータの呼び登録システムでは、実施の形態１に示した方式（かごで検出された個体識別タグ４００を一定時間後に記録から消去する）の代わりに、乗場に設置された乗場検出装置１００で検出した個体識別タグ４００の個体器別情報に基づき、エレベータを制御する呼び情報として乗車階と行先階を通信路経由で送信するときに、検出後一定時間経過するまで、送信しないように構成する。
これにより、乗場を通りすぎる利用者に対して間違って呼び登録することもなく、また、かごから降車した利用者に対して呼び登録してしまうことも無い。
また、このため、少ない検出装置にて誤検出のないエレベータの呼び登録システムを実現することが可能である。【０１０１】
ここで、実施の形態１及び２に示した認証装置６００のハードウェア構成例について説明する。
認証装置６００は、ＣＰＵ（Ｃｅｎｔｒａｌ  Ｐｒｏｃｅｓｓｉｎｇ  Ｕｎｉｔ）と、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、磁気ディスク装置等の記憶装置と、通信インタフェース等を備えるコンピュータにより実現可能である。
この場合、実施の形態１及び２に示した認証装置６００の各要素は例えばプログラムにより実現することができる。これらプログラムは、磁気ディスク装置等の記憶装置に格納され、ＣＰＵにより読み出され実行される。
また、ＲＡＭには、ＣＰＵに実行させるプログラムの少なくとも一部が一時的に格納される。
また、ＲＡＭには、ＣＰＵによる処理に必要な各種データが格納される。
例えば、ＲＡＭには、実施の形態１及び２の説明において、「〜の判断」、「〜の抽出」、「〜の比較」、「〜の設定」、「〜の登録」、「〜の制御」、「〜の選択」、「〜の照合」等として説明している処理の結果を示す情報やデータや信号値や変数値やパラメータが記憶される。
また、実施の形態１及び２に示した認証装置６００の各要素は、回路であってもよい。また、ＲＯＭに記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。
また、実施の形態１及び２に示した認証装置６００の各要素を「〜ステップ」、「〜手順」、「〜処理」と表現することも可能である。
【図面の簡単な説明】
【０１０２】
【図１】実施の形態１に係るエレベータの呼び登録システムの構成例を示す図。
【図２】実施の形態１に係る認証装置の動作例を示すフローチャート図。
【図３】実施の形態１に係る認証装置の動作例を示すフローチャート図。
【図４】実施の形態１に係る許可ＩＤリストの例を示す図。
【図５】実施の形態１に係る許可ＩＤリストの例を示す図図。
【図６】実施の形態２に係る認証装置の動作例を示すフローチャート図。
【図７】実施の形態２に係る認証装置の動作例を示すフローチャート図。
【図８】実施の形態１に係る乗場検出装置の構成例を示す図。
【図９】実施の形態１に係る認証装置の構成例を示す図。
【図１０】実施の形態２に係るエレベータの呼び登録システムの構成例を示す図。
【図１１】実施の形態２に係る認証装置の構成例を示す図。
【符号の説明】
【０１０３】
１００  乗場検出装置、１０１  制御部、１０２  認証装置通信部、１０３  識別情報読み取り部、２００  かご検出装置、３００  エレベータ利用者、４００  個体識別タグ、５００  エレベータかご、６００  認証装置、６０１  制御部、６０２  タイマ、６０３  検出装置通信部、６０４  許可ＩＤリスト記憶部、６０５  ＩＤ登録部、６０６  呼び登録処理部、６０７  一時記録ＩＤリスト管理部、６０８  登録消去処理部、７００  エレベータ制御装置、８００  認証通信路、９００  通信路。
【図１】
2009107206.tif 000003
【図２】
2009107206.tif 000004
【図３】
2009107206.tif 000005
【図４】
2009107206.tif 000006
【図５】
2009107206.tif 000007
【図６】
2009107206.tif 000008
【図７】
2009107206.tif 000009
【図８】
2009107206.tif 000010
【図９】
2009107206.tif 000011
【図１０】
2009107206.tif 000012
【図１１】
2009107206.tif 000013
【国際調査報告】
2009107206.tif 000014
2009107206.tif 000015
2009107206.tif 000016
2009107206.tif 000017